(57)【要約】      （修正有）【課題】無線の送信・受信過程における電力ロスが最も低く抑え、双方向ワイヤレス充放電の要求に確かに適合できる位置決め機能付き携帯式電子装置を提供する。【解決手段】位置決め機能付き携帯式電子装置１００、２００は、送受信回路モジュール２１が設けられた本体と、位置決め素子３と、該位置決め素子と対応し互いに位置決めすることが可能な対応する位置決め素子４とを含み、位置決め素子と対応する位置決め素子とが、ともに本体の一側に設けられている。２つの携帯式電子装置のうちの何れか一方を回転又は上下反転させることだけで、両携帯式電子装置間の位置決め素子と対応する位置決め素子を互いに位置決めし、２つの携帯式電子装置１００、２００の送受信回路モジュール２１同士を的確に対応させることができる。【選択図】図２
0003177403.tif 000002
【実用新案登録請求の範囲】
【請求項１】
本体と、
前記本体内に設けられ、送受信回路モジュールを有する双方向ワイヤレス充放電手段と、
前記本体の一側に設けられ、前記送受信回路モジュールとの間には間隔距離を有する少なくとも一つの位置決め素子と、
前記本体の当該側に設けられ、前記位置決め素子と対応し互いに位置決めするよう役割を果たし、当該側に所在する設置位置が前記位置決め素子の設置位置と対応される少なくとも一つの対応する位置決め素子とを含み、
何れか２つの携帯式電子装置間を、位置決め素子と対応する位置決め素子とが互いに位置決めすることにより、２つの携帯式電子装置の送受信回路モジュール同士を的確に対応させることを特徴とする位置決め機能付き携帯式電子装置。
【請求項２】
さらに、前記位置決め素子と同一である第２の位置決め素子と、前記対応する位置決め素子と同一である対応する第２の位置決め素子とを含み、前記第２の位置決め素子と前記対応する第２の位置決め素子も、ともに前記本体の当該側に設けられ、前記第２の位置決め素子と前記送受信回路モジュールの間には第２の間隔距離を有し、前記対応する第２の位置決め素子の当該側に所在する設置位置が前記第２の位置決め素子の設置位置と対応されることを特徴とする請求項１に記載の位置決め機能付き携帯式電子装置。
【請求項３】
前記第２の間隔距離は、前記間隔距離と同等であることを特徴とする請求項２に記載の位置決め機能付き携帯式電子装置。
【請求項４】
前記位置決め素子は、正極が外に向かう磁石体であり、前記対応する位置決め素子は、負極が外に向かう磁石体であり、前記位置決め素子と前記対応する位置決め素子とが互いに磁気で吸引されていることを特徴とする請求項１に記載の位置決め機能付き携帯式電子装置。
【請求項５】
前記位置決め素子が凸状部材で、前記対応する位置決め素子が凸状部材に対応する凹状部材であり、前記位置決め素子が前記対応する位置決め素子内に差し込んで位置決めされることを特徴とする請求項１に記載の位置決め機能付き携帯式電子装置。
【請求項６】
前記本体の当該側に回転機構が設けられ、前記回転機構が前記送受信回路モジュール回りに回転し、前記位置決め素子及び前記対応する位置決め素子が前記回転機構に設けられていることを特徴とする請求項１に記載の位置決め機能付き携帯式電子装置。
【請求項７】
前記本体の当該側に回転機構が設けられ、前記回転機構の両端が前記送受信回路モジュール回りに回転し、前記位置決め素子及び前記対応する位置決め素子が前記回転機構の両端にそれぞれ設けられていることを特徴とする請求項１に記載の位置決め機能付き携帯式電子装置。
【請求項８】
前記位置決め素子と前記対応する位置決め素子が、ともに、鉛垂に押して弾性的に圧縮可能なボタン機構であり、両ボタン機構が前記本体の当該側の両凹み部内にそれぞれ差し込まれ、前記位置決め素子は、凸状となる押圧前のボタン機構で、前記対応する位置決め素子は、凹状となる押圧後のボタン機構であり、前記押圧前に凸状となる位置決め素子が前記押圧後に凹状となる対応する位置決め素子内に差し込まれて位置決めされることを特徴とする請求項１に記載の位置決め機能付き携帯式電子装置。
【請求項９】
前記本体の当該側は、前記本体の裏面であることを特徴とする請求項１に記載の位置決め機能付き携帯式電子装置。
【請求項１０】
前記本体の当該側は、前記本体の側辺であることを特徴とする請求項１に記載の位置決め機能付き携帯式電子装置。
【考案の詳細な説明】
【技術分野】
【０００１】
本考案は、携帯式電子装置に係り、特に、何れか２つの携帯式電子装置の送受信回路モジュールを的確に対応させることで、双方向のワイヤレス充電又は放電を行い易くなる位置決め機能付き携帯式電子装置に関るものである。
【背景技術】
【０００２】
携帯式電子装置における電池への充電について、現在、従来の有線充電から単方向ワイヤレス充電に至り、さらに双方向ワイヤレス充放電まで進化してきている。すなわち、外部へ無線放電したり、無線充電されたりとか、どちらも可能となった。
【０００３】
双方向ワイヤレス充放電は、主に、送受信回路モジュールで無線の発信・受信を行うことによって、第１の携帯式電子装置の電力を第２の携帯式電子装置に無線伝送して保存される一方、第２の携帯式電子装置の電力を第１の携帯式電子装置に無線伝送して保存されることもできる。
【０００４】
これらの双方向ワイヤレス充放電の方式は、極めて便利であるが、無線伝送過程において送電ロスが避けられず、最も高いワイヤレス充電の効率を達成するため、２つの送受信回路モジュール同士を正確に対応させることが重要となってきた。
【考案の概要】
【考案が解決しようとする課題】
【０００５】
従来の単方向ワイヤレス充電に用いる位置決め構造は、充電器に設けられ正極（Ｎ極）が外に向かう磁石体と、携帯式電子装置に設けられ負極（Ｓ極）が外に向かう磁石体とを含み、充電しようとするとき、充電器の磁石体の正極を携帯式電子装置の磁石体の負極に近接させるだけで、磁石体の正極と磁石体の負極とが一体に吸引し合い位置決めされる。
【０００６】
しかしながら、これらの単方向ワイヤレス充電に用いる位置決め構造は、双方向ワイヤレス充放電に適用できず、例えば、充電器の磁石体の正極が第１の携帯式電子装置の磁石体の負極に吸引されてワイヤレス充電が可能となっているが、充電された第１の携帯式電子装置が第２の携帯式電子装置にワイヤレス充電しようとする場合に、第１の携帯式電子装置の磁石体の負極が、同種の磁極性が反発しあう性質を持つため、第２の携帯式電子装置の磁石体の負極に吸引されることができず、位置決めを的確に行うことができなくなり、それに伴い充電効率が悪いという欠点を生じる。
【０００７】
そのため、位置決め機能を有し、且つ双方向ワイヤレス充放電に適用されるような本考案の携帯式電子装置をどうすれば設計できるかが、本考案者らが解決しようとする課題である。
【０００８】
本考案は、送受信回路モジュールと組む位置決め素子及び対応する位置決め素子の設計により、２つの携帯式電子装置間にそのうちの何れか一方を回転又は上下反転させることで、両装置間の位置決め素子と対応する位置決め素子を互いに位置決めし、２つの携帯式電子装置の送受信回路モジュール同士を的確に対応させることができるため、無線の送信・受信過程における電力ロスが最も低く抑えられ、双方向ワイヤレス充放電の要求に確かに適合される位置決め機能付き携帯式電子装置を提供することを目的とする。
【課題を解決するための手段】
【０００９】
前記目的を達成するため、本考案の位置決め機能付き携帯式電子装置は、本体と、双方向ワイヤレス充放電手段と、少なくとも一つの位置決め素子と、少なくとも一つの対応する位置決め素子とを含む。前記双方向ワイヤレス充放電手段が前記本体内に設けられ、前記双方向ワイヤレス充放電手段は送受信回路モジュールを有し、前記位置決め素子が前記本体の一側に設けられ、前記位置決め素子と前記送受信回路モジュールとの間には間隔距離を有し、前記対応する位置決め素子も前記本体の当該側に設けられ、前記対応する位置決め素子が前記位置決め素子と対応し互いに位置決めするよう役割を果たし、前記対応する位置決め素子の当該側に所在する設置位置が、前記位置決め素子の設置位置と対応される。
【００１０】
よって、何れか２つの携帯式電子装置間を、位置決め素子と対応する位置決め素子とが互いに位置決めすることにより、２つの携帯式電子装置の送受信回路モジュール同士を的確に対応させることができる。
【００１１】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１２】
【図１】図１は、本考案に係る第１実施例の分解斜視図である。
【図２】図２は、本考案の図１による位置決め前の２つの携帯式電子装置を示す斜視図である。
【図３】図３は、本考案の図１による位置決め前の２つの携帯式電子装置を示す平面図である。
【図４】図４は、本考案の図１による位置決め後の２つの携帯式電子装置を示す側面図である。
【図５】図５は、本考案に係る第２実施例を示し、位置決め前の２つの携帯式電子装置を示す平面図である。
【図６】図６は、本考案に係る第３実施例の斜視図である。
【図６Ａ】図６Ａは、本考案に係る第３実施例の他の変形態様の斜視図である。
【図７】図７は、本考案に係る第４実施例を示し、位置決め前の２つの携帯式電子装置を示す側面図である。
【図７Ａ】図７Ａは、本考案に係る第４実施例の他の変形態様の斜視図である。
【図８Ａ】図８Ａは、本考案の図７Ａによる第１種の変形態様の斜視図である。
【図８Ｂ】図８Ｂは、本考案の図７Ａによる第２種の変形態様の斜視図である。
【図８Ｃ】図８Ｃは、本考案の図７Ａによる第３種の変形態様の斜視図である。
【図９】図９は、本考案に係る第５実施例を示し、側辺で位置決めする２つの携帯式電子装置を示す斜視図である。
【考案を実施するための形態】
【００１３】
本考案は、位置決め機能付き携帯式電子装置を提供することにより、双方向ワイヤレス充電又は放電を行い易くなるよう、何れか２つの携帯式電子装置の送受信回路モジュール同士を的確に対応させる。図１〜図４は、本考案の第１実施例を示し、図５、図６、図７、図９は、本考案の第２、第３、第４、第５実施例を示す。そのうち、図３、図５では、双方向ワイヤレス充放電手段２を省略して示していない。
【００１４】
＜第１実施例＞
図１〜図４に示すように、本考案の第１実施例は、本体１と、双方向ワイヤレス充放電手段２と、位置決め素子３と、対応する位置決め素子４とを含む。双方向ワイヤレス充放電手段２が本体１内に設けられ、且つ、双方向ワイヤレス充放電手段２は、無線の発信・受信するための送受信回路モジュール２１を有し、位置決め素子３が本体１の一側（例えば、正面（符号が図３に示され）１２、裏面１１又は側辺１５など、どちらも良い）に設けられ、ここで、裏面１１に設けられると図示されている。送受信回路モジュール２１も裏面１１に近接され、位置決め素子３と送受信回路モジュール２１との間には間隔距離を有し、対応する位置決め素子４が位置決め素子３に対応して互いに位置決めすることができ、対応する位置決め素子４が本体１の裏面１１に設けられ、対応する位置決め素子４の裏面１１に所在する設置位置が位置決め素子３の設置位置と対応することで、位置決め素子３と対応する位置決め素子４との間の中心に送受信回路モジュール２１を位置させる。
【００１５】
そのうち、本体の裏面１１は、両凹溝１１１、１１２により位置決め素子３と対応する位置決め素子４とを嵌設し、位置決め素子３は、正極が外に向かう磁石体であり、対応する位置決め素子４は、負極が外に向かう磁石体であり、位置決め素子３と対応する位置決め素子４とが互いに磁気で吸引され、これは、異種同士は吸引し合う一方、同種が反発しあう性質を持つためである。
【００１６】
以上の部材の組合によって、何れか２つの携帯式電子装置間を位置決め素子３と対応する位置決め素子４とで位置決めすることにより、２つの携帯式電子装置の送受信回路モジュール２１同士を的確に対応させることができ、無線の送信・受信の過程における電力ロスが最も低く抑えられる。詳細に言えば、図２、図３、図４に示すように、２つの携帯式電子装置間を充放電するときに、第１の携帯式電子装置１００は、上側１３が上に向かうよう正姿勢のままを保ち、第２の携帯式電子装置２００は、底側１４が上に向かうよう上下反転され、このとき、第１の携帯式電子装置１００の位置決め素子３と対応する位置決め素子４が、第２の携帯式電子装置２００の対応する位置決め素子４と位置決め素子３にそれぞれ対応され、両組の位置決め素子３（磁石体正極）がともに対応する位置決め素子４（磁石体負極）と互いに磁気吸引して位置決めされるようになり、それに伴い２つの送受信回路モジュール２１を的確に対応させることができる。図３は、上方に位置され正面１２が上に向かう（が上下反転する）第２の携帯式電子装置２００が、下方に位置され裏面１２が上に向かう第１の携帯式電子装置１００に重ね合う前の様子を示す平面図である。
【００１７】
＜第２実施例＞
図５に示すように、本考案の第２実施例の位置決め機能付き携帯式電子装置は、第１実施例と同じ、第１実施例より第２の位置決め素子３Ａと対応する第２の位置決め素子４Ａが追加される点のみ異なり、且つ、第２の位置決め素子３Ａが前記位置決め素子３と同じ、対応する第２の位置決め素子４Ａが対応する位置決め素子４と同じである。
【００１８】
図のように、第２の位置決め素子３Ａと対応する第２の位置決め素子４Ａも、ともに本体１の裏面１１に設けられ、第２の位置決め素子３Ａと送受信回路モジュール２１の間には第２の間隔距離を有し、対応する第２の位置決め素子４Ａの裏面１１に所在する設置位置が第２の位置決め素子３Ａの設置位置と対応され、送受信回路モジュール２１を位置決め素子３と対応する位置決め素子４との間、及び第２の位置決め素子３Ａと対応する第２の位置決め素子４Ａとの間の中心点に位置させる。
【００１９】
よって、充電しようとするときに、下方に位置する第１の携帯式電子装置１００は、裏面１１が上に向かうよう正姿勢のままを保ち、上方に位置する第２の携帯式電子装置２００は、正面１２が上に向かうよう９０°回転され、このとき、第１の携帯式電子装置１００の位置決め素子３と対応する位置決め素子４及び第２の位置決め素子３Ａと対応する第２の位置決め素子４Ａが、第２の携帯式電子装置２００の対応する第２の位置決め素子４Ａと第２の位置決め素子３Ａ及び対応する位置決め素子４と位置決め素子３にそれぞれ対応され、位置決め素子３、第２の位置決め素子３Ａ（磁石体正極）がともに対応する位置決め素子４、対応する第２の位置決め素子４Ａ（磁石体負極）と磁気吸引して位置決めされ、それに伴い２つの送受信回路モジュール２１を的確に対応させることができる。
【００２０】
好ましいのは、第２の間隔距離（例えば、第２の位置決め素子３Ａから送受信回路モジュール２１までの距離）は、前記間隔距離（例えば、位置決め素子３から送受信回路モジュール２１までの距離）と同等である。
【００２１】
＜第３実施例＞
図６に示すように、本考案の第３実施例の位置決め機能付き携帯式電子装置は、第１実施例と同じ、第１実施例より回転機構１１３が追加される点のみ異なっている。
【００２２】
図のように、回転機構１１３は、本体１の裏面１１に設けられ、送受信回路モジュール２１回りに回転機構１１３を回転させ（回転機構の周縁を図示されない裏面１１の開口内縁に可動に嵌合し）、位置決め素子３及び対応する位置決め素子４が回転機構１１３に設けられている。詳細に言えば、前記実施例は、いずれも、携帯式電子装置自体を回転する必要があるが、本実施例では、回転機構１１３を回転するだけで、磁気吸引して位置決めすることを達成できる。
【００２３】
勿論、回転機構１１３が第２実施例に用いても良い（図示せず）、この場合、第２の位置決め素子３Ａと対応する第２の位置決め素子４Ａを回転機構１１３に設けるだけで済むです。
【００２４】
図６Ａは、本考案の第３実施例の他の変形態様の斜視図であり、図６Ａに示すように、回転機構１１４は、軸心１１５として本体１の裏面１１に枢着された長尺シートであり、長尺シートの両端が送受信回路モジュール２１回りに回転可能になり、且つ、長尺シートの両端には位置決め素子５と対応する位置決め素子６がそれぞれ設けられ、そのうち、位置決め素子５を対応する位置決め素子６内に差し込んで位置決めするように、位置決め素子５が凸状部材（例えば、凸柱や係合体など）で、対応する位置決め素子６が凸状部材に対応する凹状部材（例えば、凹溝や係合穴など）である。
【００２５】
＜第４実施例＞
図７に示すように、本考案の第４実施例の位置決め機能付き携帯式電子装置は、第１実施例と同じ、位置決め素子５及び対応する位置決め素子６が第１実施例の位置決め素子３及び対応する位置決め素子４と相異する点のみ異なっている。
【００２６】
図のように、位置決め素子５を対応する位置決め素子６内に差し込んで位置決めするように、位置決め素子５が凸状部材（例えば、凸柱や係合体など）で、対応する位置決め素子６が凸状部材に対応する凹状部材（例えば、凹溝や係合穴など）である。
【００２７】
勿論、これらの凸状の位置決め素子５と凹状の対応する位置決め素子６が、図１〜図４に示された第１実施例、図５に示された第２実施例、及び図６に示された第３実施例にも適用でき、この場合、元の磁石体を凹、凸状部材に変更すれば良い。
【００２８】
さらに、図７Ａは、本考案の第４実施例の他の変形態様の斜視図であり、図７Ａに示すように、位置決め素子７と対応する位置決め素子８が本体１の裏面１１の両凹み部（図に凹み穴）１１６内にそれぞれ差し込まれ、位置決め素子７と対応する位置決め素子８が、ともにボタン機構（鉛垂に押して弾性的に圧縮可能なボタンスイッチのように）である。図のように、位置決め素子７は、凸状となる押圧前のボタン機構で、対応する位置決め素子８は、凹状となる押圧後のボタン機構であり、押圧前に凸状となる位置決め素子７が押圧後に凹状となる対応する位置決め素子８内に差し込まれて位置決めされることができる。
【００２９】
さらに、図８Ａは、本考案の図７Ａによる第１の変形態様を示す斜視図である。図８Ａに示すように、位置決め素子７と対応する位置決め素子８が何れもスライド部材であり、スライド部材は、本体１の裏面１１に設けられた凹み部１１６を有し、凹み部１１６内の一端に凹溝１１６Ａが設けられ、凹み部１１６内の他端に左右摺動可能なスライダ１１７が設けられ、スライダ１１７に凹溝１１６Ａに対応し互いに位置決めすることが可能な凸体１１７Ａが設けられている。言い換えれば、位置決め素子７は、スライダ１１７が左に横スライドする摺動部材で、対応する位置決め素子８は、スライダ１１７が右に横スライドする摺動部材であり、位置決め素子７の凹溝１１６Ａ及び凸体１１７Ａが対応する位置決め素子８の凸体１１７Ａ及び凹溝１１６Ａにそれぞれ位置決めすることができる。
【００３０】
さらに、図８Ｂは、本考案の図７Ａによる第２の変形態様を示す斜視図である。図８Ｂに示すように、位置決め素子７と対応する位置決め素子８もともにスライド部材であり、スライド部材は、本体１の裏面１１に設けられた凹み部１１６を有し、凹み部１１６内の一端に左右摺動可能なスライダ１１７が設けられている。言い換えれば、位置決め素子７の一端のスライダ１１７が対応する位置決め素子８の他端の凹み部１１６内に差し込まれて位置決めすることができる。
【００３１】
さらに、図８Ｃは、本考案の図７Ａによる第３の変形態様を示す斜視図である。図８Ｃに示すように、位置決め素子７と対応する位置決め素子８が、ともにシーソー部材であり（シーソースイッチのように）、シーソー部材は、本体１の裏面１１に設けられた凹み部１１６を有し、凹み部１１６内にシーソーのように凹み部１１６内の両端に上がったり下がったりするシーソー本体１１９が枢設されている。言い換えれば、位置決め素子７の一端が上がる状態となったシーソー本体１１９が対応する位置決め素子８の他端の下がる状態となったシーソー本体１１９の領域内に差し込まれて位置決めすることができる。
【００３２】
＜第５実施例＞
図９に示すように、本考案の第５実施例の位置決め機能付き携帯式電子装置は、第１実施例と同じ、位置決め素子３、対応する位置決め素子４及び送受信回路モジュール２１が本体１の側辺１５に設けられる点のみ第１実施例と異なっている。そのため、第１の携帯式電子装置１００と第２の携帯式電子装置２００間を側辺１５で互いに位置決めすることができ、２つの位置決め素子３（磁石体正極）が２つの対応する位置決め素子４（磁石体負極）と互いに磁気吸引して位置決めされ、それに伴い２つの送受信回路モジュール２１を的確に対応させることができる。勿論、図７、図７Ａに示された位置決め素子５、７、対応する位置決め素子６、８及び送受信回路モジュール２１も、本体１の側辺１５に設けられも良い。
【００３３】
また、本考案の携帯式電子装置は、携帯電話であっても良いが、携帯電話に限られず、ＧＰＳナビゲータや、電磁辞書、マルチメディアプレイヤなどであっても良い。
【００３４】
上記説明したように、本考案の位置決め機能付き携帯式電子装置は、一方の携帯式電子装置を、充電又は放電の何れかを行う場合でも、他の携帯式電子装置との間で位置決めするときに、何れか一方の携帯式電子装置を回転又は上下反転させることにより、両装置間の位置決め素子と対応する位置決め素子とを互いに位置決めして、２つの携帯式電子装置の送受信回路モジュール同士を的確に対応させることができるため、無線の送信・受信の過程における電力ロスが最も低く抑えられ、従来の位置決めときの欠点を確かに克服でき、双方向の無線充放電の要求に適合されるようになることを特徴とする。
【００３５】
以上のように、単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００３６】
１・・・・・・本体
２・・・・・・双方向ワイヤレス充放電手段
３・・・・・・位置決め素子
３Ａ・・・・・第２の位置決め素子
４・・・・・・対応する位置決め素子
４Ａ・・・・・対応する第２の位置決め素子
５・・・・・・位置決め素子
６・・・・・・対応する位置決め素子
７・・・・・・位置決め素子
８・・・・・・対応する位置決め素子
１１・・・・・裏面
１２・・・・・正面
１３・・・・・上側
１４・・・・・底側
１５・・・・・側辺
２１・・・・・送受信回路モジュール
１００・・・・第１の携帯式電子装置
１１１、１１２・・・・凹溝
１１３、１１４・・・・回転機構
１１５・・・・軸心
１１６・・・・凹み部
１１６Ａ・・・凹溝
１１７・・・・スライダ
１１７Ａ・・・凸体
１１９・・・・シーソー本体
２００・・・・第２の携帯式電子装置
【図１】
0003177403.tif 000003
【図２】
0003177403.tif 000004
【図３】
0003177403.tif 000005
【図４】
0003177403.tif 000006
【図５】
0003177403.tif 000007
【図６】
0003177403.tif 000008
【図６Ａ】
0003177403.tif 000009
【図７】
0003177403.tif 000010
【図７Ａ】
0003177403.tif 000011
【図８Ａ】
0003177403.tif 000012
【図８Ｂ】
0003177403.tif 000013
【図８Ｃ】
0003177403.tif 000014
【図９】
0003177403.tif 000015